(57)【要約】      （修正有）【課題】利便性および安全性を備えつつ、利用者による料金等の自己管理が容易なキャッシュレスシステムを提供すること。【解決手段】利用者に身に付けて用いられるとともに、非接触ＩＣ１１にパス識別情報および利用可能金額を保持するパス１０と、場内の有料施設に配置されるとともに、パス１０の非接触ＩＣ１１に対し所定の情報の読取及び書込を行うパス読取書込部４１を有する場内配置端末４０と、利用者に係る個人情報、利用者識別情報、利用可能金額、パス識別情報、金融機関のカード番号、及び利用金額をリンクさせて記憶する記憶部５２と、入場の際にパス識別情報を場内配置端末４０に送信する処理を行うとともに、出場の際にパス識別情報に係る利用者が利用を終了することを知らせる利用終了情報を場内配置端末４０に送信する処理を行う制御部５３と、を有するホストサーバ５０と、を備える。【選択図】図１
2006171873.tif 000002
【特許請求の範囲】
【請求項１】
利用者に身に付けて用いられるとともに、非接触で所定の情報の書込可能な非接触ＩＣを備え、前記非接触ＩＣに少なくともパス識別情報および利用可能金額を保持するパスと、
場内の有料施設に配置されるとともに、前記パスの前記非接触ＩＣに対し所定の情報の読取及び書込を行うパス読取書込部を有する場内配置端末と、
前記場内配置端末と第１のネットワークを介して接続するとともに、金融機関の認証サーバと第２のネットワークを介して接続し、前記利用者に係る少なくとも個人情報、利用者識別情報、利用可能金額、パス識別情報、金融機関のカード番号、及び利用金額をリンクさせて記憶する記憶部と、入場の際に前記パス識別情報を前記場内配置端末に送信する処理を行うとともに、出場の際に前記パス識別情報に係る利用者が利用を終了することを知らせる利用終了情報を前記場内配置端末に送信する処理を行う制御部と、を有するホストサーバと、
を備え、
前記場内配置端末は、前記ホストサーバからの前記パス識別情報を記憶する記憶部と、前記場内配置端末の前記記憶部に記憶された前記パス識別情報に基づいて前記パスから読み取ったパス識別情報で有料施設の利用が可能か否かの確認処理を行うとともに、前記パスから読み取った利用可能金額にて有料施設の利用が可能か否かの確認処理を行い、利用可能な場合に利用可能金額から施設の利用金額を差し引く計算処理を行い、前記ホストサーバからの前記利用終了情報を受信することにより、前記場内配置端末の前記記憶部に記憶された前記パス識別情報を消去する処理を行う制御部と、を有し、
前記ホストサーバの前記制御部は、出場の際に前記利用者に係る利用金額を前記認証サーバに送信する処理を行うとともに、前記利用金額に対する前記認証サーバからの処理結果を受信する処理を行うことを特徴とするキャッシュレスシステム。
【請求項２】
前記ホストサーバと前記第１のネットワークを介して接続するとともに、施設の入場受付窓口に設置され、前記パスの前記非接触ＩＣに対し所定の情報の読取及び書込を行うパス読取書込部と、入力又は読取された前記利用者に係る少なくとも個人情報、利用者識別情報、利用可能金額、パス識別情報及び金融機関のカード番号を前記ホストサーバに送信する処理を行う制御部と、を有する入場受付端末を備え、
前記ホストサーバの前記制御部は、前記入場受付端末からの個人情報、利用者識別情報、利用可能金額、パス識別情報及び金融機関のカード番号をリンクさせて登録する処理を行い、前記場内配置端末に前記パス識別情報を送信した後に前記パスの利用を可能にする利用可能情報を前記入場受付端末に送信する処理を行うことを特徴とする請求項１記載のキャッシュレスシステム。
【請求項３】
前記ホストサーバと前記第１のネットワークを介して接続するとともに、施設の出場受付窓口に設置され、前記パスの前記非接触ＩＣに対し所定の情報の読取及び書込を行うパス読取書込部と、読取されたパス識別情報、入力された利用者識別情報、及び、前記パスに係る利用完了情報を前記ホストサーバに送信する処理を行う制御部と、を有する出場受付端末を備え、
前記ホストサーバの前記制御部は、前記出場受付端末からのパス識別情報および利用完了情報を受信することにより前記パス識別番号に係る利用金額を前記出場受付端末に送信する処理を行うことを特徴とする請求項１又は２記載のキャッシュレスシステム。
【請求項４】
前記パスの前記非接触ＩＣは、利用時間を保持し、
前記場内配置端末の前記制御部は、現在時刻が前記パスから読み取った利用時間内にあるか否かの確認処理を行うことを特徴とする請求項１乃至３のいずれか一に記載のキャッシュレスシステム。
【請求項５】
前記パスの前記非接触ＩＣは、利用場所を保持し、
前記場内配置端末の前記制御部は、当該場内配置端末の場所が前記パスから読み取った利用場所内にあるか否かの確認処理を行うことを特徴とする請求項１乃至４のいずれか一に記載のキャッシュレスシステム。
【請求項６】
前記ホストサーバの前記制御部は、前記パスが紛失した際に当該パスを利用不可にすることを知らせる利用不可情報を前記場内配置端末に送信する処理を行い、
前記場内配置端末の前記制御部は、前記ホストサーバからの前記利用不可情報を受信することにより、前記利用不可情報を前記場内配置端末の前記記憶部に記憶された前記パス識別情報にリンクさせて登録する処理を行うとともに、前記パスから読み取ったパス識別情報に対応する前記場内配置端末の前記記憶部に記憶された前記パス識別情報に前記利用不可情報がリンクしているか否かの確認処理を行うことを特徴とする請求項１乃至５のいずれか一に記載のキャッシュレスシステム。
【請求項７】
前記ホストサーバと前記第１のネットワークを介して接続するとともに、前記パスが紛失した際に、入力された利用者識別情報、及び、利用不可情報を前記ホストサーバに送信する処理を行う制御部を有する制御端末を備えることを特徴とする請求項１乃至６のいずれか一に記載のキャッシュレスシステム。
【発明の詳細な説明】
【技術分野】
【０００１】
本発明は、利用者が施設内の有料設備をキャッシュレスで利用できるようにしたキャッシュレスシステムに関し、特に、利用者による料金等の自己金銭管理が容易なキャッシュレスシステムに関する。
【背景技術】
【０００２】
利用者が温泉やプール等の施設を利用する場合、従来は貴重品の保管に不安があり、貴重品をロッカーや受付等に預けて利用していた。この場合に利用者が施設利用中に自動販売機等の有料設備を利用するときには、一度、貴重品を取り出しにロッカーや受付等に戻らなければならないので、購買意欲を減少させていた。また、有料設備を利用するのにクレジットカードを利用する場合には上記問題はないが、プールや浴場等、カードを携帯することに不安を覚える施設では使用に難がある。
【０００３】
これらの不便を解消するために、利用者が施設の有料設備をキャッシュレスで使用できるようにしたキャッシュレスシステム（代金管理システム）が提案されている。
【０００４】
例えば、有料の設備が設けられている施設を利用する者が前記有料設備を利用することにより発生する代金を管理する代金管理システムにおいて、施設利用者を識別するため互いに異なる情報を表すバーコードが付され且つ施設利用者に渡されるバーコード部材と、前記所与の施設の受付に設けられた施設利用者管理装置とを備え、前記有料設備は、バーコード部材のバーコードを読取る第１バーコード読取り手段と、当該読み取られたバーコード情報に応答して施設利用者に当該有料設備を利用させる状態にする手段と、施設利用者が当該有料設備を利用したことにより発生する金額を含む利用に関する利用情報を前記読み取られたバーコード情報と関連付けて前記施設利用者管理装置へ送る利用情報送信手段とを有し、前記施設利用者管理装置は、前記利用情報送信手段により送られた情報を受け取り記憶する利用情報記憶手段と、バーコード部材のバーコードを読取る第２バーコード読取り手段と、当該第２バーコード読取り手段により施設利用者の施設からの退出時に読み取られたバーコード部材のバーコード情報に応答して前記利用情報記憶手段から前記退出時に読み取られたバーコード情報に対応する利用情報を読出し施設利用者の代金の精算処理を行う手段とを有することを特徴とする代金管理システムが開示されている（特許文献１参照）。
【０００５】
また、ある定まった地域内でのキャッシュレスシステムであって、地域内へのチェックイン時に本人の識別コードを表すバーコードを個人が地域内で所持する媒体に付与するチェックイン装置と、該チェックイン装置が付与した識別コードを有効登録するコンピュータと、地域内にあって所定のサービスまたは物品を提供する施設ないし設備であって、前記媒体に付されているバーコードを読み取ると、そのバーコードが表す識別コードの有効性を前記コンピュータに問い合わせて、有効の場合は該コンピュータへ送信するための売上情報を作成する端末装置と、地域内からのチェックアウト時に前記識別コードに基づいて前記コンピュータをアクセスして精算処理を行うチェックアウト装置とを具備したことを特徴とするキャッシュレスシステムが開示されている（特許文献２参照）。
【０００６】
【特許文献１】特開平４−１９０４９５号公報
【特許文献２】特開平１０−２３２９６６号公報
【発明の開示】
【発明が解決しようとする課題】
【０００７】
しかしながら、これらのシステムでは、利用者が複数の有料設備を利用すれば利用するほど代金が積み上がるので、精算時に料金の大きさに驚くことになりかねない。一方、このような問題を解決するために回数券やプリペイドカード等を事前に購入して有料設備を利用する方法も考えられるが、このような方法ではキャッシュが回数券やプリペイドカード等に代わったとはいえ、施設内においては実質的にキャッシュを持ち歩くのと変わりがなく、従来のキャッシュレスシステムと比べて利便性や安全性が損なわれるおそれがある。
【０００８】
本発明の課題は、利便性および安全性を備えつつ、利用者による料金等の自己管理が容易なキャッシュレスシステムを提供することである。
【課題を解決するための手段】
【０００９】
本発明においては、キャッシュレスシステムにおいて、利用者に身に付けて用いられるとともに、非接触で所定の情報の書込可能な非接触ＩＣを備え、前記非接触ＩＣに少なくともパス識別情報および利用可能金額を保持するパスと、場内の有料施設に配置されるとともに、前記パスの前記非接触ＩＣに対し所定の情報の読取及び書込を行うパス読取書込部を有する場内配置端末と、前記場内配置端末と第１のネットワークを介して接続するとともに、金融機関の認証サーバと第２のネットワークを介して接続し、前記利用者に係る少なくとも個人情報、利用者識別情報、利用可能金額、パス識別情報、金融機関のカード番号、及び利用金額をリンクさせて記憶する記憶部と、入場の際に前記パス識別情報を前記場内配置端末に送信する処理を行うとともに、出場の際に前記パス識別情報に係る利用者が利用を終了することを知らせる利用終了情報を前記場内配置端末に送信する処理を行う制御部と、を有するホストサーバと、を備え、前記場内配置端末は、前記ホストサーバからの前記パス識別情報を記憶する記憶部と、前記場内配置端末の前記記憶部に記憶された前記パス識別情報に基づいて前記パスから読み取ったパス識別情報で有料施設の利用が可能か否かの確認処理を行うとともに、前記パスから読み取った利用可能金額にて有料施設の利用が可能か否かの確認処理を行い、利用可能な場合に利用可能金額から施設の利用金額を差し引く計算処理を行い、前記ホストサーバからの前記利用終了情報を受信することにより、前記場内配置端末の前記記憶部に記憶された前記パス識別情報を消去する処理を行う制御部と、を有し、前記ホストサーバの前記制御部は、出場の際に前記利用者に係る利用金額を前記認証サーバに送信する処理を行うとともに、前記利用金額に対する前記認証サーバからの処理結果を受信する処理を行うことを特徴とする。
【００１０】
本発明の前記キャッシュレスシステムにおいて、前記ホストサーバと前記第１のネットワークを介して接続するとともに、施設の入場受付窓口に設置され、前記パスの前記非接触ＩＣに対し所定の情報の読取及び書込を行うパス読取書込部と、入力又は読取された前記利用者に係る少なくとも個人情報、利用者識別情報、利用可能金額、パス識別情報及び金融機関のカード番号を前記ホストサーバに送信する処理を行う制御部と、を有する入場受付端末を備え、前記ホストサーバの前記制御部は、前記入場受付端末からの個人情報、利用者識別情報、利用可能金額、パス識別情報及び金融機関のカード番号をリンクさせて登録する処理を行い、前記場内配置端末に前記パス識別情報を送信した後に前記パスの利用を可能にする利用可能情報を前記入場受付端末に送信する処理を行うことが好ましい。
【００１１】
本発明の前記キャッシュレスシステムにおいて、前記ホストサーバと前記第１のネットワークを介して接続するとともに、施設の出場受付窓口に設置され、前記パスの前記非接触ＩＣに対し所定の情報の読取及び書込を行うパス読取書込部と、読取されたパス識別情報、入力された利用者識別情報、及び、前記パスに係る利用完了情報を前記ホストサーバに送信する処理を行う制御部と、を有する出場受付端末を備え、前記ホストサーバの前記制御部は、前記出場受付端末からのパス識別情報および利用完了情報を受信することにより前記パス識別番号に係る利用金額を前記出場受付端末に送信する処理を行うことが好ましい。
【００１２】
本発明の前記キャッシュレスシステムにおいて、前記パスの前記非接触ＩＣは、利用時間を保持し、前記場内配置端末の前記制御部は、現在時刻が前記パスから読み取った利用時間内にあるか否かの確認処理を行うことが好ましい。
【００１３】
本発明の前記キャッシュレスシステムにおいて、前記パスの前記非接触ＩＣは、利用場所を保持し、前記場内配置端末の前記制御部は、当該場内配置端末の場所が前記パスから読み取った利用場所内にあるか否かの確認処理を行うことが好ましい。
【００１４】
本発明の前記キャッシュレスシステムにおいて、前記ホストサーバの前記制御部は、前記パスが紛失した際に当該パスを利用不可にすることを知らせる利用不可情報を前記場内配置端末に送信する処理を行い、前記場内配置端末の前記制御部は、前記ホストサーバからの前記利用不可情報を受信することにより、前記利用不可情報を前記場内配置端末の前記記憶部に記憶された前記パス識別情報にリンクさせて登録する処理を行うとともに、前記パスから読み取ったパス識別情報に対応する前記場内配置端末の前記記憶部に記憶された前記パス識別情報に前記利用不可情報がリンクしているか否かの確認処理を行うことが好ましい。
【００１５】
本発明の前記キャッシュレスシステムにおいて、前記ホストサーバと前記第１のネットワークを介して接続するとともに、前記パスが紛失した際に、入力された利用者識別情報、及び、利用不可情報を前記ホストサーバに送信する処理を行う制御部を有する制御端末を備えることが好ましい。
【発明の効果】
【００１６】
本発明（請求項１−７）によれば、利便性および安全性を備えつつ、利用者による料金等の自己管理を容易にすることができるので、利用者自ら利用可能額（利用限度額）を設定することで、買い物のし過ぎを防ぐことができる。
【００１７】
本発明（請求項１−７）によれば、プールや浴場等の貴重品の携帯が困難な場所、テーマパーク等の混雑した場所でも買い物をキャッシュレスで支払いをスムーズに行うことができるので、利用者の購買意欲を向上させることができる。
【００１８】
本発明（請求項１−７）によれば、場内で直接クレジットカード等を使用しないので、クレジットカードを安全な場所に保管して置くことで、クレジットカードの紛失の可能性をなくすことができる。
【００１９】
本発明（請求項１−７）によれば、来場の都度、パスを変更して用いることになるので、パス識別情報と個人情報とが分離し、個人情報の流出を防ぐことが可能。さらに、クレジットカードを直接使用しないので個人情報の流出を防ぐことができる。
【００２０】
本発明（請求項１−７）によれば、パスを紛失した場合でも、パスを識別するためのパス識別情報と、利用者の個人情報はホストサーバ上でしかリンク（関連付け）されていないため、個人情報の流出を防ぐことができる。
【００２１】
本発明（請求項４、５）によれば、パスは使用できる場所と時間を設定することができるので、パスの置き忘れや盗難での被害を抑えることができる。
【００２２】
本発明（請求項６、７）によれば、パスを紛失した場合に、ホストサーバに対してパスの有効性を抹消すれば、被害を防げる。この時使えなくなるのは、紛失したパスのみなので、新たなパスを直ちに再発行可能である。また、有効性が抹消されたパスを使用しようとした場合に、その現場を直ちに特定することができる。
【発明を実施するための最良の形態】
【００２３】
（実施形態１）
次に、本発明の実施形態に係るキャッシュレスシステムについて図面を用いて説明する。図１は、本発明の実施形態１に係るキャッシュレスシステムの構成を模式的に示したブロック図である。
【００２４】
キャッシュレスシステムは、パス１０と、入場受付端末２０と、出場受付端末３０と、場内設置端末４０と、ホストサーバ５０と、制御端末６０と、内部ネットワーク１００と、を有する。なお、ここでは入場受付端末２０、出場受付端末３０および制御端末６０が別々に配置されているが、これらの端末を１箇所の１つのコンピュータ端末にまとめてもよい。
【００２５】
パス１０は、利用者が身に付ける媒体であり、非接触ＩＣ１１を有する。非接触ＩＣ１１は、所定の情報を保持することが可能であり、入場受付端末２０のパス読取書込部２１、出場受付端末３０のパス読取書込部３１、場内設置端末４０のパス読取書込部４１、及び制御端末６０のパス読取書込部６１によって電波等を介して非接触で所定の情報の読取及び書込可能な構成である。
【００２６】
入場受付端末２０は、利用者の入場時の受付を行うコンピュータ端末であり、内部ネットワーク１００と接続する。入場受付端末２０は、パス読取書込部２１と、入力操作部２２と、カード読取部２３と、通信部２４と、表示部２５と、記憶部２６と、制御部２７と、を有する。パス読取書込部２１は、パス１０の非接触ＩＣ１１に所定の情報の読取又は書込を行う部分である。入力操作部２２は、キー等により入力操作を行う部分である。カード読取部２３は、料金の支払いができるカード番号が付与されたカード（クレジットカード、銀行キャッシュカード等）のカード番号を読み取る部分である。通信部２４は、他の端末等と通信を行うための部分であり、内部ネットワーク１００に接続する。表示部２５は、画像、文字等を表示する部分である。記憶部２６は、所定の情報、ソフトウェアを記憶する部分である。制御部２７は、記憶部２６に記憶されたソフトウェアに基づいて、各構成部の機能を制御する部分である。
【００２７】
出場受付端末３０は、利用者の出場時の受付を行うコンピュータ端末であり、内部ネットワーク１００と接続する。出場受付端末３０は、パス読取書込部３１と、入力操作部３２と、通信部３３と、表示部３４と、記憶部３５と、制御部３６と、を有する。パス読取書込部３１、入力操作部３２、通信部３３、表示部３４及び記憶部３５は、それぞれ入場受付端末２０のパス読取書込部２１、入力操作部２２、通信部２４、表示部２５及び記憶部２６と同様である。制御部３６は、記憶部３５に記憶されたソフトウェアに基づいて、各構成部の機能を制御する部分である。
【００２８】
場内設置端末４０は、場内の１又は複数の箇所に設置されたコンピュータ端末であり、内部ネットワーク１００と接続する。場内設置端末４０は、パス読取書込部４１と、入力操作部４２と、通信部４３と、表示部４４と、記憶部４５と、制御部４６と、を有する。パス読取書込部４１、入力操作部４２、通信部４３、表示部４４及び記憶部４５は、それぞれ入場受付端末２０のパス読取書込部２１、入力操作部２２、通信部２４、表示部２５及び記憶部２６と同様である。制御部４６は、記憶部４５に記憶されたソフトウェアに基づいて、各構成部の機能を制御する部分である。
【００２９】
ホストサーバ５０は、パス１０に関する情報の管理を行うサーバ装置であり、内部ネットワーク１００を介して入場受付端末２０、出場受付端末３０、場内設置端末４０及び制御端末６０と接続し、外部ネットワーク１１０を介して認証サーバ７０と接続する。ホストサーバ５０は、通信部５１と、記憶部５２と、制御部５３と、を有する。通信部５１及び記憶部５２は、それぞれ入場受付端末２０の通信部２４及び記憶部２６と同様である。制御部５３は、記憶部５２に記憶されたソフトウェアに基づいて、各構成部の機能を制御する部分である。
【００３０】
制御端末６０は、ホストサーバ５０を制御するコンピュータ端末であり、内部ネットワーク１００と接続する。制御端末６０は、パス読取書込部６１と、入力操作部６２と、通信部６３と、表示部６４と、記憶部６５と、制御部６６と、を有する。パス読取書込部６１、入力操作部６２、通信部６３、表示部６４及び記憶部６５は、それぞれ入場受付端末２０のパス読取書込部２１、入力操作部２２、通信部２４、表示部２５及び記憶部２６と同様である。制御部６６は、記憶部６５に記憶されたソフトウェアに基づいて、各構成部の機能を制御する部分である。
【００３１】
認証サーバ７０は、銀行や信販会社等の金融機関に設置された認証を行うためのサーバ装置であり、外部ネットワーク１１０を介してホストサーバ５０と接続する。認証サーバ７０は、ホストサーバ５０から送信されたカード番号、利用金額及び利用者識別情報を受信することにより、支払方法の有効性を検証し、有効性がある場合は料金の引落処理を行い、有効性がない場合は料金の引落処理を行わない。認証サーバ７０は、所定の処理が完了すると、処理が完了したことを知らせる情報をホストサーバ５０に送信する。
【００３２】
内部ネットワーク１００は、入場受付端末２０、出場受付端末３０、場内設置端末４０、ホストサーバ５０、及び制御端末６０を接続するための施設の内部に配設されたＬＡＮ等のネットワークである。外部ネットワーク１１０は、ホストサーバ５０及び認証サーバ７０を接続するための施設の外部に配設されたインターネット回線、電話回線等のネットワークである。
【００３３】
次に、本発明の実施形態１に係るキャッシュレスシステムの動作について説明する。キャッシュレスシステムの動作については、入場時、パス紛失時、利用時、不正利用時、利用場所外の時、利用時間外の時、金額不足時、金額追加時、及び出場時に分けて説明する。
【００３４】
（入場時）
入場時のキャッシュレスシステムの動作について図面を用いて説明する。図２は、本発明の実施形態１に係るキャッシュレスシステムの入場時の動作を模式的に示したフローチャートである。
【００３５】
利用者は、最初に入場受付端末２０が設置されている入場受付窓口に行き、施設の利用申込を行う。このときに、入場受付端末２０は、個人情報、カード番号、及び利用者識別情報の入力を受け付ける（ステップＡ１）。ここで、個人情報は、利用者自身の氏名、住所、電話番号などの情報である。カード番号は、クレジットカードや銀行キャッシュカード等による料金の支払いができるカードの番号である。利用者識別情報は、利用者が任意に入力した情報であって、利用者を識別するための情報（例えば、暗証番号）である。
【００３６】
次に、入場受付端末２０は、入力された個人情報、カード番号、及び利用者識別情報をホストサーバ５０に送信する。（ステップＡ２）。次に、ホストサーバ５０は、入場受付端末２０からの個人情報、カード番号、利用者識別情報を受信することにより、個人情報、カード番号、及び利用者識別情報をリンクさせて記憶部５２に登録する（ステップＡ３）。
【００３７】
次に、入場受付端末２０は、利用者に支給することになるパス１０からパス識別情報を読み取る（ステップＡ４）。次に、入場受付端末２０は、パス１０の利用可能金額、利用場所、及び利用時間の入力を受け付ける（ステップＡ５）。次に、入場受付端末２０は、パス識別情報、利用可能金額、利用場所、利用時間及び利用者識別情報をホストサーバ５０に送信する（ステップＡ６）。ここで、パス識別情報は、利用者に支給されたパス１０を識別するための情報（例えば、番号）であり、パス１０に予め記憶されているものである。利用可能金額は、利用者が設定したパス１０にて利用可能な金額であり、有料施設を利用することにより支払を行った場合は、支払を行った金額分差し引かれた金額である。利用場所は、利用者が設定したパス１０にて利用可能な場所であり、場所を設定しない場合は全場所である。利用時間は、利用者が設定したパス１０にて利用可能な時間であり、時間を設定しない場合は全時間である。
【００３８】
次に、ホストサーバ５０は、パス識別情報、利用可能金額、利用場所、利用時間及び利用者識別情報を受信することにより、受信した利用者識別情報に対応する（記憶部に記憶された）利用者識別情報に係る個人情報にパス識別情報、利用可能金額、利用場所及び利用時間をリンクさせて記憶部に登録する（ステップＡ７）。
【００３９】
次に、ホストサーバ５０は、出場受付端末３０及び場内設置端末４０にパス１０に係るパス識別情報、利用可能情報、利用場所及び利用時間を送信する（ステップＡ８）。ここで、利用可能情報は、出場受付端末３０及び場内設置端末４０にてパス１０の利用を可能にするための情報である。
【００４０】
次に、出場受付端末３０及び場内設置端末４０は、パス識別情報、利用可能情報、利用場所及び利用時間を受信することにより、受信したパス識別情報、利用可能情報、利用場所及び利用時間をリンクさせて記憶部３５、４５に登録する（ステップＡ９）。次に、出場受付端末３０及び場内設置端末４０は、登録が完了すると登録完了情報をホストサーバ５０に送信する（ステップＡ１０）。ここで、登録完了情報は、パス識別情報、利用可能情報、利用場所及び利用時間をリンクさせた登録が完了したことを知らせる情報である。
【００４１】
次に、ホストサーバ５０は、登録完了情報を受信することにより、入場受付端末２０にパス１０に係る利用可能情報を送信する（ステップＡ１１）。次に、入場受付端末２０は、利用可能情報を受信することにより、パス１０に利用可能金額、利用場所及び利用時間を書込む（ステップＡ１２）。最後に、入場受付端末２０は、パス１０が利用可能となったことを表示する（ステップＡ１３）。これにより、利用者にパス１０を支給され、利用者はパス１０を身に付けて場内に入場することになる。
【００４２】
（パス紛失時）
次に、パス紛失時のキャッシュレスシステムの動作について図面を用いて説明する。図３は、本発明の実施形態１に係るキャッシュレスシステムのパス紛失時の動作を模式的に示したフローチャートである。
【００４３】
利用者がパス１０を紛失した場合は、利用者は、制御端末６０が設置された窓口に行き、紛失手続を行う。制御端末６０は、利用者識別情報の入力を受け付ける（ステップＢ１）。次に、制御端末６０は、入力された利用者識別情報、及び利用不可情報をホストサーバ５０に送信する（ステップＢ２）。ここで、利用不可情報は、利用者が紛失したパス１０を利用不可にすることを知らせる情報である。
【００４４】
次に、ホストサーバ５０は、利用者識別情報及び利用不可情報を受信することにより、受信した利用者識別情報に対応する（記憶部５２に記憶された）利用者識別情報に係るパス識別情報に利用不可情報をリンクさせて記憶部に登録する（ステップＢ３）。
【００４５】
次に、ホストサーバ５０は、パス識別情報及び利用不可情報を入場受付端末２０、出場受付端末３０、及び場内設置端末４０に送信する（ステップＢ４）。次に、入場受付端末２０、出場受付端末３０、及び場内設置端末４０は、パス識別情報及び利用不可情報を受信することにより、受信したパス識別情報に対応する（記憶部２６、３５、４５に登録されている）パス識別情報に利用不可情報をリンクさせて登録する（ステップＢ５）。これにより、パス１０の不正利用を防止することができる。
【００４６】
なお、パスを再発行する場合は、以下の通りである。
【００４７】
まず、制御端末６０は、利用者に再支給することになる新規パスから新規パス識別情報を読み取る（ステップＢ６）。次に、制御端末６０は、利用者識別情報の入力を受け付ける（ステップＢ７）。次に、制御端末６０は、新規パス識別情報及び利用者識別情報をホストサーバ５０に送信する（ステップＢ８）。ここで、新規パスは、パス１０とは別のものであり、パス１０と同様な構成である。新規パス識別情報は、新規パスに付与されているパス識別情報である。
【００４８】
次に、ホストサーバ５０は、新規パス識別情報及び利用者識別情報を受信することにより、受信した利用者識別情報に対応する（記憶部５２に記憶された）利用者識別情報に係る個人情報に新規パス識別情報をリンクさせて記憶部５２に登録する（ステップＢ９）。次に、ホストサーバ５０は、出場受付端末３０及び場内設置端末４０に新規パス識別情報、利用可能情報、利用場所及び利用時間を送信する（ステップＢ１０）。ここで、利用可能情報、利用場所及び利用時間は、記憶部に記憶された紛失したパス１０に係るパス識別情報にリンクしたものを用いる。
【００４９】
次に、出場受付端末３０及び場内設置端末４０は、新規パス識別情報、利用可能情報、利用場所及び利用時間を受信することにより、受信した新規パス識別情報、利用可能情報、利用場所及び利用時間をリンクさせて記憶部３５、４５に登録する（ステップＢ１１）。次に、出場受付端末３０及び場内設置端末４０は、登録が完了すると登録完了情報をホストサーバ５０に送信する（ステップＢ１２）。
【００５０】
次に、ホストサーバ５０は、登録完了情報を受信することにより、新規パスに係る利用可能情報を制御端末６０に送信する（ステップＢ１３）。次に、制御端末６０は、利用可能情報を受信することにより、新規パスに利用可能金額、利用場所及び利用時間を書込む（ステップＢ１４）。最後に、制御端末６０は、新規パスが利用可能となったことを表示する（ステップＢ１５）。
【００５１】
（利用時）
次に、利用時のキャッシュレスシステムの動作について図面を用いて説明する。図４は、本発明の実施形態１に係るキャッシュレスシステムの利用時の動作を模式的に示したフローチャートである。ここでは、パス１０の利用が正当利用であって、利用可能金額が十分にあり、場内設置端末４０が利用場所の端末に該当し、かつ、現在時刻が利用時間内にある場合について説明する。
【００５２】
利用者は有料設備を利用する際、パス１０を出場受付端末３０の読取書込部に近づける。場内設置端末４０は、パス１０内のパス識別番号、利用可能金額、利用場所及び利用時間を読み取る（ステップＣ１）。
【００５３】
次に、場内設置端末４０は、読み取ったパス識別情報に対応するパス識別情報が記憶部４５に記憶されているか否かを確認し、記憶されている場合にはパス識別情報に利用不可情報がリンクしていないか否かを確認する（ステップＣ２）。ここでは、パス１０の利用が正当利用か否かを確認しており、パス識別情報に利用不可情報がリンクしていない場合は正当利用であり、パス識別情報に利用不可情報がリンクしている場合は不正利用である。なお、パス識別情報が記憶されていない場合には、場内設置端末４０は、利用時間外である旨を表示することになる。また、パス識別情報に利用不可情報がリンクしている場合（不正利用の場合）については後述する。
【００５４】
パス識別情報に利用不可情報がリンクしていない場合、場内設置端末４０は、読み取った利用場所に基づいて、場内設置端末４０が利用場所内の端末に該当するか否か確認する（ステップＣ３）。なお、場内設置端末４０が利用場所内の端末に該当しない場合については後述する。
【００５５】
場内設置端末４０が利用場所の端末に該当する場合、場内設置端末４０は、読み取った利用時間に基づいて、現在時刻が利用時間内にあるか否か確認する（ステップＣ４）。なお、現在時刻が利用時間外にある場合については後述する。
【００５６】
現在時刻が利用時間内にある場合、場内設置端末４０は、読み取った利用可能金額に基づいて、事前に設定されている利用可能な金額のメニューが存在するか否か確認する（ステップＣ５）。なお、利用可能な金額のメニューが存在しない場合（金額不足の場合）については後述する。
【００５７】
利用可能な金額のメニューが存在する場合、場内設置端末４０は、選択できるメニューを表示する（ステップＣ６）。これにより、利用者は、表示されたメニューの中から利用（購入）したい内容を選択することになる。なお、パス１０の利用が不可能な場合については後述する。
【００５８】
次に、場内設置端末４０は、利用者によりメニューの中から選択されたメニュー選択情報、及びパス識別情報をホストサーバ５０に送信する（ステップＣ７）。ここで、メニュー選択情報は、選択されたメニュー、その料金を含む情報である。
【００５９】
次に、ホストサーバ５０は、メニュー選択情報及びパス識別情報を受信することにより、受信したパス識別情報に対応する（記憶部５２に登録された）パス識別情報に利用不可情報がリンクしていないか否かを確認する（ステップＣ８）。なお、パス識別情報に利用不可情報がリンクしている場合（不正利用の場合）については後述する。
【００６０】
パス識別情報に利用不可情報がリンクしていない場合、ホストサーバ５０は、記憶部に登録されたパス識別情報にメニュー選択情報をリンクさせて登録する（ステップＣ９）。次に、ホストサーバ５０は、利用許可情報を対応する場内設置端末４０に送信する（ステップＣ１０）。ここで、利用許可情報は、対応するメニュー選択情報のメニューの利用（購入）を許可する情報である。
【００６１】
次に、場内設置端末４０は、利用許可情報を受信することにより、もとの利用可能金額から選択したメニューに係る料金を差し引く（ステップＣ１１）。次に、場内設置端末４０は、差し引いた後の新たな利用可能金額をパス１０に書き込む（ステップＣ１２）。最後に、場内設置端末４０は、利用可能である旨を表示する（ステップＣ１３）。これにより、利用者は、有料設備が利用可能となったことを確認して設備を利用することになる。
【００６２】
（不正利用時）
次に、不正利用時のキャッシュレスシステムの動作について図面を用いて説明する。図５は、本発明の実施形態１に係るキャッシュレスシステムの不正利用時の動作を模式的に示したフローチャートである。ここでは、パス１０の利用が不正利用（紛失手続が行われた後のパス１０の利用）である場合について説明する。
【００６３】
利用者は有料設備を利用する際、パス１０を出場受付端末３０の読取書込部に近づける。場内設置端末４０は、パス１０内のパス識別番号、利用可能金額、利用場所及び利用時間を読み取る（ステップＤ１）。
【００６４】
次に、場内設置端末４０は、読み取ったパス識別情報に対応するパス識別情報が記憶部４５に記憶されているか否かを確認し、記憶されている場合にはパス識別情報に利用不可情報がリンクしていないか否かを確認する（ステップＤ２）。パス識別情報に利用不可情報がリンクしている場合、場内設置端末４０は、利用不可である旨を表示する（ステップＤ３）。次に、場内設置端末４０は、読み取ったパス識別情報、場内設置端末４０に係る端末識別情報、及び利用不可情報をホストサーバ５０に送信する（ステップＤ４）。ここで、端末識別情報は、場内設置端末４０に付与された端末を識別するための情報（例えば、アドレス）である。
【００６５】
次に、ホストサーバ５０は、パス識別情報、端末識別情報及び利用不可情報を受信することにより、受信したパス識別情報に基づいて対応する（記憶部に登録された）パス識別情報に利用不可情報がリンクしていないか否かを確認する（ステップＤ５）。パス識別情報に利用不可情報がリンクしている場合、ホストサーバ５０は、受信したパス識別情報、端末識別情報及び利用不可情報を制御端末６０に送信する（ステップＤ６）。
【００６６】
最後に、制御端末６０は、パス識別情報、端末識別情報及び利用不可情報を受信することにより、パス識別情報、端末識別情報及び利用不可確認情報を表示する（ステップＤ７）。これにより、制御端末６０の管理者は、紛失したパスを追跡することが可能となる。
【００６７】
（利用場所外の時）
次に、利用場所外の時のキャッシュレスシステムの動作について図面を用いて説明する。図６は、本発明の実施形態１に係るキャッシュレスシステムの利用場所外の時の動作を模式的に示したフローチャートである。ここでは、パス１０の利用が正当利用であって、場内設置端末４０が利用場所の端末に該当しない場合について説明する。
【００６８】
利用者は有料設備を利用する際、パス１０を出場受付端末３０の読取書込部に近づける。場内設置端末４０は、パス１０内のパス識別番号、利用可能金額、利用場所及び利用時間を読み取る（ステップＥ１）。次に、場内設置端末４０は、読み取ったパス識別情報に対応するパス識別情報が記憶部４５に記憶されているか否かを確認し、記憶されている場合にはパス識別情報に利用不可情報がリンクしていないか否かを確認する（ステップＥ２）。パス識別情報に利用不可情報がリンクしていない場合、場内設置端末４０は、読み取った利用場所に基づいて、場内設置端末４０が利用場所の端末に該当するか否か確認する（ステップＥ３）。
【００６９】
場内設置端末４０が利用場所の端末に該当しない場合、場内設置端末４０は、利用場所外である旨を表示する（ステップＥ４）。
【００７０】
（利用時間外の時）
次に、利用時間外の時のキャッシュレスシステムの動作について図面を用いて説明する。図７、本発明の実施形態１に係るキャッシュレスシステムの利用時間外の時の動作を模式的に示したフローチャートである。ここでは、パス１０の利用が正当利用であって、場内設置端末４０が利用場所の端末に該当し、かつ、現在時刻が利用時間外にある場合について説明する。
【００７１】
利用者は有料設備を利用する際、パス１０を出場受付端末３０の読取書込部に近づける。場内設置端末４０は、パス１０内のパス識別番号、利用可能金額、利用場所及び利用時間を読み取る（ステップＦ１）。次に、場内設置端末４０は、読み取ったパス識別情報に対応するパス識別情報が記憶部４５に記憶されているか否かを確認し、記憶されている場合にはパス識別情報に利用不可情報がリンクしていないか否かを確認する（ステップＦ２）。パス識別情報に利用不可情報がリンクしていない場合、場内設置端末４０は、読み取った利用場所に基づいて、場内設置端末４０が利用場所の端末に該当するか否か確認する（ステップＦ３）。場内設置端末４０が利用場所の端末に該当する場合、場内設置端末４０は、読み取った利用時間に基づいて、現在時刻が利用時間内にあるか否か確認する（ステップＦ４）。
【００７２】
現在時刻が利用時間外にある場合、場内設置端末４０は、利用時間外である旨を表示する（ステップＦ５）。
【００７３】
（金額不足時）
次に、金額不足時のキャッシュレスシステムの動作について図面を用いて説明する。図８は、本発明の実施形態１に係るキャッシュレスシステムの金額不足時の動作を模式的に示したフローチャートである。ここでは、パス１０の利用が正当利用であって利用可能金額が不十分な場合について説明する。
【００７４】
利用者は有料設備を利用する際、パス１０を出場受付端末３０の読取書込部に近づける。場内設置端末４０は、パス１０内のパス識別番号及び利用可能金額を読み取る（ステップＧ１）。次に、場内設置端末４０は、読み取ったパス識別情報に対応するパス識別情報が記憶部４５に記憶されているか否かを確認し、記憶されている場合にはパス識別情報に利用不可情報がリンクしていないか否かを確認する（ステップＧ２）。パス識別情報に利用不可情報がリンクしていない場合、場内設置端末４０は、読み取った利用場所に基づいて、場内設置端末４０が利用場所の端末に該当するか否か確認する（ステップＧ３）。場内設置端末４０が利用場所の端末に該当する場合、場内設置端末４０は、読み取った利用時間に基づいて、現在時刻が利用時間内にあるか否か確認する（ステップＧ４）。現在時刻が利用時間内にある場合、場内設置端末４０は、読み取った利用可能金額に基づいて、事前に設定されている利用可能な金額のメニューが存在するか否か確認する（ステップＧ５）。
【００７５】
利用可能な金額のメニューが存在しない場合、場内設置端末４０は、料金不足である旨を表示する（ステップＧ６）。これにより、利用者は、施設の利用をあきらめることにより、お金の無駄遣いを防止することができる。なお、どうしても施設を利用したい場合、利用者は、入場受付端末２０のある入場受付窓口に行き、利用可能金額の追加の手続を行うことになる。
【００７６】
（金額追加時）
次に、金額追加時のキャッシュレスシステムの動作について図面を用いて説明する。図９は、本発明の実施形態１に係るキャッシュレスシステムの金額追加時の動作を模式的に示したフローチャートである。ここでは、利用可能金額を追加する場合について説明する。
【００７７】
利用者は、利用可能金額の追加を行う際、入場受付端末２０が設置されている入場受付窓口に行き、利用可能金額の追加の手続を行う。入場受付端末２０は、利用者のパス１０からパス識別情報及び利用可能金額を読み取る（ステップＨ１）。次に、入場受付端末２０は、利用者識別情報及び追加利用可能金額の入力を受け付ける（ステップＨ２）。次に、入場受付端末２０は、パス識別情報、追加利用可能金額及び利用者識別情報をホストサーバ５０に送信する（ステップＨ３）。ここで、追加利用可能金額は、利用者が追加設定した利用可能な金額である。
【００７８】
次に、ホストサーバ５０は、パス識別情報、追加利用可能金額及び利用者識別情報を受信することにより、受信した追加利用可能金額を（もとからある）利用可能金額に追加した新たな利用可能金額を計算する（ステップＨ４）。次に、ホストサーバ５０は、受信した利用者識別情報に対応する（記憶部に記憶されている）利用者識別情報に係る個人情報に新たな利用可能金額をリンクさせて記憶部に登録する（ステップＨ５）。次に、ホストサーバ５０は、登録が完了した後、入場受付端末２０に金額追加完了情報、及び新たな利用可能金額を送信する（ステップＨ６）。ここで、金額追加完了情報は、利用可能金額に追加利用可能金額の追加が完了したことを知らせる情報である。
【００７９】
次に、入場受付端末２０は、金額追加完了情報、及び新たな利用可能金額を受信することにより、新たな利用可能金額をパス１０に登録する（ステップＨ７）。最後に、入場受付端末２０は、利用可能金額の追加が完了した旨を表示する（ステップＨ８）。これにより、制御端末６０の管理者は、直ちに対応が可能である。これにより、利用者はパス１０による有料施設の利用が可能になる。
【００８０】
（出場時）
次に、出場時のキャッシュレスシステムの動作について図面を用いて説明する。図１０は、本発明の実施形態１に係るキャッシュレスシステムの出場時の動作を模式的に示したフローチャートである。
【００８１】
施設を出場する場合、利用者は、出場受付端末３０が設置されている出場受付窓口に行き、施設の出場手続を行う。まず、出場受付端末３０は、利用者のパス１０からパス識別情報を読み取る（ステップＪ１）。次に、出場受付端末３０は、読み取ったパス識別情報、及び利用終了情報をホストサーバ５０に送信する（ステップＪ２）。ここで、利用終了情報は、パス識別情報に係る利用者が利用を終了（出場、退場）することを知らせる情報である。
【００８２】
次に、ホストサーバ５０は、パス識別情報及び利用終了情報を受信することにより、受信したパス識別情報に対応する（記憶部に記憶された）パス識別情報に利用終了情報をリンクさせて記憶部に登録する（ステップＪ３）。次に、ホストサーバ５０は、パス識別情報及び利用終了情報を入場受付端末２０及び場内設置端末４０に送信する（ステップＪ４）。次に、入場受付端末２０及び場内設置端末４０は、パス識別情報及び利用終了情報を受信することにより、受信したパス識別情報に対応する記憶部に記憶されたパス識別情報及び利用可能情報を消去する（ステップＪ５）。次に、ホストサーバ５０は、パス識別情報に対応するカード番号、及び利用金額を出場受付端末３０に送信する（ステップＪ６）。ここで、利用金額は、パス識別情報に対応するメニュー選択情報に係る料金の合計金額である。
【００８３】
次に、出場受付端末３０は、カード番号及び利用金額を受信することにより、カード番号及び利用金額を表示する（ステップＪ７）。これにより、利用者は、カード番号及び利用料金を確認することになる。
【００８４】
次に、出場受付端末３０は、利用者識別情報の入力を受け付ける（ステップＪ８）。次に、出場受付端末３０は、入力された利用者識別情報をホストサーバ５０に送信する（ステップＪ９）。
【００８５】
次に、ホストサーバ５０は、利用者識別情報を受信することにより、パス識別情報に対応する利用者のカード番号、利用金額及び利用者識別情報を認証サーバ７０に送信する（ステップＪ１０）。
【００８６】
次に、認証サーバ７０は、カード番号、利用金額及び利用者識別情報を受信することにより、支払方法の有効性を検証し、所定の処理を行う（ステップＪ１１）。なお、有効性がある場合は料金の引落処理を行い、有効性がない場合は料金の引落処理を行わない。
【００８７】
次に、認証サーバ７０は、所定の処理が完了すると、処理完了情報をホストサーバ５０に送信する（ステップＪ１２）。ここで、処理完了情報は、処理が完了したことを知らせる情報であり、有効性がある場合は引落処理が完了したことを知らせる情報であり、有効性がない場合は引落処理が不可であることを知らせる情報である。
【００８８】
次に、ホストサーバ５０は、処理完了情報を受信することにより、処理完了情報を出場受付端末３０に送信する（ステップＪ１３）。最後に、出場受付端末３０は、処理完了情報を受信することにより、受信した処理完了情報を表示する（ステップＪ１４）。これにより、利用者は、有効性がある場合は引落処理が完了したことを確認して施設から出場することになり、有効性がない場合は現金決済等を行うことになる。
【００８９】
実施形態１によれば、以下のような効果を奏する。第１に、場内で直接クレジットカード等を使用しないのでクレジットカードを安全な場所に保管して置くことで紛失の可能性をなくせる。第２に、パス１０を紛失した場合でもパス識別情報と利用者の個人情報はホストサーバ５０上でしか関連付けがなされていないため、個人情報の流出を防げる。第３に、パス１０は限定された場所と時間でのみ有効とすることでパス１０を紛失しても被害を限定的にできる。第４に、パス１０を紛失した場合に届け出れば制御端末６０からホストサーバ５０に対してパス１０の有効性を抹消すれば被害を防げる。また、この時使えなくなるのはパス１０のみなので新たなパスを直ちに再発行可能である。第５に、有効性が抹消されたパス１０を使用しようとした場合にその現場を直ちに特定できる事で被害を未然に防げる。
【図面の簡単な説明】
【００９０】
【図１】本発明の実施形態１に係るキャッシュレスシステムの構成を模式的に示したブロック図である。
【図２】本発明の実施形態１に係るキャッシュレスシステムの入場時の動作を模式的に示したフローチャートである。
【図３】本発明の実施形態１に係るキャッシュレスシステムのパス紛失時の動作を模式的に示したフローチャートである。
【図４】本発明の実施形態１に係るキャッシュレスシステムの利用時の動作を模式的に示したフローチャートである。
【図５】本発明の実施形態１に係るキャッシュレスシステムの不正利用時の動作を模式的に示したフローチャートである。
【図６】本発明の実施形態１に係るキャッシュレスシステムの利用場所外の時の動作を模式的に示したフローチャートである。
【図７】本発明の実施形態１に係るキャッシュレスシステムの利用時間外の時の動作を模式的に示したフローチャートである。
【図８】本発明の実施形態１に係るキャッシュレスシステムの金額不足時の動作を模式的に示したフローチャートである。
【図９】本発明の実施形態１に係るキャッシュレスシステムの金額追加時の動作を模式的に示したフローチャートである。
【図１０】本発明の実施形態１に係るキャッシュレスシステムの出場時の動作を模式的に示したフローチャートである。
【符号の説明】
【００９１】
１０  パス
１１  非接触ＩＣ
２０  入場受付端末
２１  パス読取書込部
２２  入力操作部
２３  カード読取部
２４  通信部
２５  表示部
２６  記憶部
２７  制御部
３０  出場受付端末
３１  パス読取書込部
３２  入力操作部
３３  通信部
３４  表示部
３５  記憶部
３６  制御部
４０  場内設置端末
４１  パス読取書込部
４２  入力操作部
４３  通信部
４４  表示部
４５  記憶部
４６  制御部
５０  ホストサーバ
５１  通信部
５２  記憶部
５３  制御部
６０  制御端末
６１  パス読取書込部
６２  入力操作部
６３  通信部
６４  表示部
６５  記憶部
６６  制御部
７０  認証サーバ
１００  内部ネットワーク（第１のネットワーク）
１１０  外部ネットワーク（第２のネットワーク）
【図１】
2006171873.tif 000003
【図２】
2006171873.tif 000004
【図３】
2006171873.tif 000005
【図４】
2006171873.tif 000006
【図５】
2006171873.tif 000007
【図６】
2006171873.tif 000008
【図７】
2006171873.tif 000009
【図８】
2006171873.tif 000010
【図９】
2006171873.tif 000011
【図１０】
2006171873.tif 000012